(57)【特許請求の範囲】
【請求項１】
電気部品に電気的に接続され引出孔から外部へ引出される、温度ヒューズ等の素子を含む引出線に対し、その引出線を引出孔の内側において電気的な絶縁性のある保護具で前記素子とともに包んで結束するとともに、前記保護具は、その外径寸法が前記引出孔の孔径より大きく、その引出孔から結束した引出線とともに抜出不能な構成とした送風装置。
【請求項２】
請求項１に記載の送風装置であって、保護具を、素子を含む引出線を挿通するチューブと、このチューブ及び引出線を緊縛する緊縛手段とで構成した送風装置。
【請求項３】
請求項１に記載の送風装置であって、保護具を、素子を含む引出線を挿通するチューブと、前記引出線を緊縛する樹脂製の緊縛手段とで構成し、その緊縛手段は、引出線を挟み付けて係止できる二つの挟持片で構成した送風装置。
【請求項４】
請求項１に記載の送風装置であって、保護具を、素子を含む引出線を巻回すフィルムで構成した送風装置。
【請求項５】
請求項１に記載の送風装置であって、保護具を、セルフヒンジで繋がった、引出線を挟み付けて係止できる二つの挟持片で構成した送風装置。
【発明の詳細な説明】
【技術分野】
【０００１】
本発明は、外部配線と接続される引出線を引出孔から外部に引出した構成を持つ送風装置に関するものである。
【背景技術】
【０００２】
送風装置等の電気機器には殆どのものが、外部配線と端子台を介して接続される電源や信号などを伝えるための引出線を、装置の外郭や、外郭に設けられる回路ボックスに設けられた引出孔から外部に引出した構成を持っている。こうした構成のものでは、外部からの引っ張り荷重による張力から配線部を保護するために張力止め用板が引出線に設けられている。張力止め用板は、引出線の配線部に差込まれ結束バンドで結束されている。張力止め用板の引出線から呈出した部分は添え板として、装置の外郭や、外郭に設けられる回路ボックスに設けられた引出孔付近にビス止めされている（なお、この種の従来技術としては特許文献１に示されているようなものがある）。
【０００３】
【特許文献１】実開平４−１３７４２２号公報
【発明の開示】
【発明が解決しようとする課題】
【０００４】
従来の引出線の張力からの保護の仕方においては、予め引出線に張力止め用板を差込み、結束バンドで固定する作業が必要なばかりか、張力止め用板をビス止めする作業も必要で、この部分の組立作業がかなり煩雑で作業性が低かった。また、内部配線を挟み込んだりしないように十分な配慮が必要なばかりでなく、張力止め用板をビス止めするスペースも要し、引出孔が回路ボックスになる場合、回路ボックスの嵩が大きくなるといった問題点もあった。
【０００５】
本発明は、上記した従来の問題点を解決するためになされたもので、生産性の良い、低コストで実現できる引出線の張力からの保護対策を講じた送風装置を得ることである。
【課題を解決するための手段】
【０００６】
上記目的を達成するために本発明は、電気部品に電気的に接続され引出孔から外部へ引出される、温度ヒューズ等の素子を含む引出線に対し、引出線を引出孔の内側において電気的な絶縁性のある保護具で素子とともに包んで結束するとともに、保護具は、その外径寸法が引出孔の孔径より大きく、引出孔から結束した引出線とともに抜出不能な構成とする手段を採用する。
【発明の効果】
【０００７】
本発明によれば、温度ヒューズ等の素子を含む引出線を引出孔の内側において保護具で素子とともに包んで結束するだけで、外部からの引っ張り荷重による張力から引出線を保護することができ、組立が簡単で生産性が良く、低コストで引出線の張力からの保護が実現できる。
【発明を実施するための最良の形態】
【０００８】
本発明の送風装置は、装置の外郭に回路ボックスが設けられている。回路ボックスは、着脱可能なボックスカバーを有し、このボックスカバーに電源や信号などを伝えるための引出線を外部に引出す引出孔が設けられ、また、外部配線との接続に供する端子台がボックスカバーの外表に取付けられている。引出線は、ファンモータ等の電気部品に電気的に接続され装置の外郭を通して回路ボックスに引回され、引出孔から外部へ引出される。回路ボックスには回路基板やコンデンサー、過負荷保護のための電流ヒューズや温度ヒューズ等の素子が収納されている。素子を含む引出線は、引出線を引出孔の内側において電気的な絶縁性のあるチューブに挿通され、素子とともに包まれてコードバンド等の緊縛手段でしっかり纏めて結束されている。引出線に挿通され、結束されたチューブは、その外径寸法がボックスカバーの引出孔の孔径より十分大きく、引出孔から結束した引出線とともに抜出不能な構成とされる。これにより、温度ヒューズ等の素子を含む引出線を引出孔の内側において結束具で素子とともに包んで結束するだけの操作で、外部からの引っ張り荷重による張力から引出線を保護することができ、組立が簡単で生産性が良く、回路ボックスも嵩張らず低コストで引出線の張力からの保護が実現できる。
【０００９】
実施の形態１．
図１は、本実施の形態の送風装置の要部の斜視図、図２は、回路ボックスのボックスカバーを除いて示す送風装置の要部の正面図、図３は、回路ボックスのボックスカバーを付けて示す送風装置の要部の正面図、図４は、回路ボックスのボックスカバーを除いて、保護具の取付け前の形態を示す送風装置の要部の正面図、図５は、他の形態の保護具を示す送風装置の要部の正面図、図６、図７は、他の形態の保護具を示す斜視図、図８は、図６，７の保護具を取付け状態で示す側面図、図９は、緊縛手段の分解斜視図、図１０は、緊縛手段を組立てて示す正面図、図１１は、回路ボックスのボックスカバーを除いて示す送風装置の要部の正面図である。
【００１０】
本実施の形態は、図１に示すように装置の外郭１に回路ボックス２が設けられた送風装置に関するものである。回路ボックス２は、着脱可能なボックスカバー３を有し、このボックスカバー３に電源や信号などを伝える引出線４を外部に引出すための保護ブッシュの付いた引出孔５が設けられ、また、図３に示すように外部配線との接続に供する端子台６がボックスカバーの外表に取付けられている。引出線４は、ファンモータ等の電気部品に電気的に接続され外郭１を通して回路ボックス２内に引回され、引出孔５から外部へ引出される。回路ボックス２には、図４に示すように回路基板７の他、コンデンサー８や過負荷保護のための電流ヒューズや温度ヒューズ９等の素子が収納されている。
【００１１】
素子を含む引出線４は、引出線４を引出孔５の内側において保護具としての電気的な絶縁性のあるチューブ１０に挿通され、素子とともに包まれてコードバンド等の緊縛手段１１でしっかり纏めて結束されている（図２参照）。引出線４に挿通され、結束されたチューブ１０は、その外径寸法がボックスカバー３の引出孔５の孔径（保護ブッシュの径）より十分大きく、引出孔５から結束した引出線４とともに抜出不能な構成とされる。これにより、保護具で包まれた引出線４、及び素子を一括して纏め上げ保護することができるとともに、温度ヒューズ９等の素子を含む引出線４を引出孔５の内側においてチューブ１０で素子とともに包んで結束するだけの操作で、外部からの引っ張り荷重による張力から引出線４を保護することができ、組立が簡単で生産性が良く、低コストで引出線４の張力からの保護が実現できる。
【００１２】
保護具としては、図５に示すように素子を含む引出線４を巻回す難燃性のフィルム１２の他、図６，図７，図８に示すように、セルフヒンジ１３で繋がった、引出線４を挟み付けて係止できる二つの樹脂製の挟持片１４で構成しても良い。この保護具では、引出線４を挟み付けて保持するため、挟持片１４を係止するフック１５と掛止部１６の係止位置を調整できるようにして、引出線４の線径に応じて挟持力を変えるようにすることで、引出線４の被覆等の傷付きを回避できる。また、図７に示すように、挟持片１４の一方に引出線４を絡げて抵抗を付ける突起１７を設けたり、引出線４の線径に応じた引出口１８を設けたりして、引出線４に対する保持力を確保することもできる。
【００１３】
さらには、図９，１０に示すように保護具であるチューブ１０或いは引出線４を緊縛する緊縛手段１１を、図６や図７に示したようなセルフヒンジ１３で繋がった二つの挟持片１４で挟み付けて緊縛するようにしても、緊縛手段１１を図１１に示すように引出線４を挟み付けて係止できる二つの挟持片１９で構成しても良い。二つの挟持片１４，１９による構成を採ることにより、取付操作が挟み付けるだけで済み、より容易になる。なお、回路ボックス２の引出孔５に対して保護具を適用した例を挙げて説明したが、外郭１の引出孔に対して保護具を適用することもできる。
【図面の簡単な説明】
【００１４】
【図１】送風装置の要部の斜視図である。（実施の形態１）
【図２】回路ボックスのボックスカバーを除いて示す送風装置の要部の正面図である。（実施の形態１）
【図３】回路ボックスのボックスカバーを付けて示す送風装置の要部の正面図である。（実施の形態１）
【図４】回路ボックスのボックスカバーを除いて、保護具の取付け前の形態を示す送風装置の要部の正面図である。（実施の形態１）
【図５】他の形態の保護具を示す送風装置の要部の正面図である。（実施の形態１）
【図６】他の形態の保護具を示す斜視図である。（実施の形態１）
【図７】他の形態の保護具を示す斜視図である。（実施の形態１）
【図８】保護具を取付けた状態で示す側面図である。（実施の形態１）
【図９】緊縛手段の分解斜視図である。（実施の形態１）
【図１０】緊縛手段を組立てて示す正面図である。（実施の形態１）
【図１１】回路ボックスのボックスカバーを除いて示す送風装置の要部の正面図である。（実施の形態１）
【符号の説明】
【００１５】
１  外郭、  ３  ボックスカバー、  ４  引出線、  ５  引出孔、  ９  温度ヒューズ、  １０  チューブ、  １１  緊縛手段、  １２  フィルム、  １３  セルフヒンジ、  １４  挟持片。
【図１】
0004844555.tif 000002
【図２】
0004844555.tif 000003
【図３】
0004844555.tif 000004
【図４】
0004844555.tif 000005
【図５】
0004844555.tif 000006
【図６】
0004844555.tif 000007
【図７】
0004844555.tif 000008
【図８】
0004844555.tif 000009
【図９】
0004844555.tif 000010
【図１０】
0004844555.tif 000011
【図１１】
0004844555.tif 000012